Podtech/llm-jp-corpus-v4-ja_patent huggingface dataset:
(57)【要約】【課題】極めてシンプルな構成で手を汚すことなく簡単に油こし作業を行うことができ、使用後はそのまま廃棄可能であり、積層可能なため多数保管にも場所を取らない、使い捨て適性を有する油こし具を提供することを課題とする。【解決手段】耐油性の紙、プラスチック等の耐油性資材製の容体１を設け、その底面を開口してフィルター２を張着し、前記容体１の側面上部に、少なくとも２対の差込孔５〜８を設けて成る。また、耐油性の紙、プラスチック等の耐油性資材製の容体を設け、その底面に透孔を形成し、前記容体の側面から底面にかけてフィルターを配置し、前記容体の側面上部に、少なくとも２対の差込孔を設けて成る【選択図】　　　　図３
2004113268.tif 000002
【特許請求の範囲】
【請求項１】
耐油性の紙、プラスチック等の耐油性資材製の容体を設け、その底面を開口してフィルターを張着し、前記容体の側面上部に、少なくとも２対の差込孔を設けて成る油こし具。
【請求項２】
耐油性の紙、プラスチック等の耐油性資材製の容体を設け、その底面に透孔を形成し、前記容体の側面から底面にかけてフィルターを配置し、前記容体の側面上部に、少なくとも２対の差込孔を設けて成る油こし具。
【発明の詳細な説明】
【０００１】
【発明の属する技術分野】
本発明は油こし具、より詳細には、天ぷら等の料理に使用した天ぷら油を再利用するに当たり、カス等を除去するために用いる使い捨て適性を有する油こし具に関するものである。
【０００２】
【従来の技術】
一度使用した天ぷら油を再利用に供するためには、油中の揚げカス等の固形物を除去する必要があるが、そのために使用する油こし器が種々提唱されている。その多くは、オイルパンの上部にフィルターを配置したものであるが、このタイプの場合は、オイルパンの洗浄等に手間がかかって煩わしく、オイルパンの保管に場所を取るという難点がある。
【０００３】
また、使い捨て可能な油こし具として、漏斗状にしたカップ内にフィルターを配置したもの（実開平２−１０９５４４号公報）があるが、これは油をビン容器に移すためのもので、ナベ等に移し変える用途に利用するには適しない。
【０００４】
【発明が解決しようとする課題】
本発明は、このような従来技術における問題点に鑑みてなされたもので、極めてシンプルな構成で手を汚すことなく簡単に油こし作業を行うことができ、使用後はそのまま廃棄可能であり、積層可能なため多数保管にも場所を取らない、使い捨て適性を有する油こし具を提供することを課題とする。
【０００５】
【課題を解決するための手段】
上記課題を解決するための本発明に係る油こし具は、耐油性の紙、プラスチック等の耐油性資材製の容体を設け、その底面を開口してフィルターを張着し、前記容体の側面上部に、少なくとも２対の差込孔を設けて成る。
【０００６】
本発明はまた、耐油性の紙、プラスチック等の耐油性資材製の容体を設け、その底面に透孔を形成し、前記容体の側面から底面にかけてフィルターを配置し、前記容体の側面上部に、少なくとも２対の差込孔を設けて成る油こし具、を以て上記課題を解決した。
【０００７】
【発明の実施の形態】
本発明の実施の形態を添付図面に依拠して説明する。本発明の第１の実施形態は、耐油性の紙、プラスチック等の耐油性資材製の容体１を設け、その底面を開口して不織布等のフィルター２を張着し、容体１の側面上部に差込孔５〜８を設けて成るもので、図１はその斜視図、図２はその中央縦断面図である。
【０００８】
普通、容体１の上縁に鍔４を設け、側面３の上部の鍔４近接部に、差込孔５〜８を、対をなすように穿設する。差込孔５〜８は、菜ばし９や割ばし等を挿通するためのもので、通例２対設ける。
【０００９】
フィルター２の張着方法は任意であるが、例えば、フィルター２を容体１の底面開口部から側面３の中間部を覆う形状とし、フィルター２を定着した後、容体１と同じ形状で、底面から側面の下部まで除去した被覆カバー１４を、下方から容体１に嵌め付けるようにする（図２参照）。かくしてフィルター２の上端部が、容体１と被覆カバー１４の間に挟持され、剥れることがなくなる。
【００１０】
図３は、上記のような構成の油こし具の使用方法を示すものである。使用に当っては、一方の側の差込孔７、８から他方の側の差込孔５、６に、菜ばし９を挿通し、菜ばし９をナベ１０の縁に掛け渡す。その状態で容体１内に使用済み油を注ぎ、フィルター２で漉して天ぷらカス等の固形物を捕捉する。本油こし具は、油注入終了後、菜ばし９を抜いてそのまま捨てる。
【００１１】
図４は、本発明の第２の実施形態を示す斜視図で、それは、上記同様資材製で、底面に透孔１２を形成した容体１１を設け、容体１１内に、その側面から底面にかけて被覆するフィルター１３を配置したものである。透孔１２は、図示したもののように小さくてもよいが、より大きなものであってもよい。その他の構成並びに使用方法は、上記実施形態と同じである。
【００１２】
上記いずれの実施形態の場合にも積層が可能であるので、多数を積層して取引に供し、且つ、家庭において保存でき、運搬、保存に場所を取らない。
【００１３】
【発明の効果】
本発明は上述した通りであって、極めてシンプルな構成で手を汚すことなく簡単に油こし作業を行うことができ、使用後はそのまま廃棄可能であり、積層可能なため多数保管にも場所を取らず、廉価にて供給できるので十分な使い捨て適性を有する効果がある。
【図面の簡単な説明】
【図１】本発明に係る油こし具の一構成例を示す斜視図である。
【図２】図１に示す構成例の中央縦断面図である。
【図３】図１に示す構成例の使用状態図である。
【図４】本発明に係る油こし具の他の構成例を示す斜視図である。
【符号の説明】
１　　容体
２　　フィルター
３　　側面
４　　鍔
５　　差込孔
６　　差込孔
７　　差込孔
８　　差込孔
９　　菜ばし
１０　　ナベ
１１　　容体
１２　　透孔
１３　　フィルター
１４　　被覆カバー
【図１】
2004113268.tif 000003
【図２】
2004113268.tif 000004
【図３】
2004113268.tif 000005
【図４】
2004113268.tif 000006
(57)【要約】【課題】止めやすく、回らず、外れにくく、外しやすい、製作性と取扱性にすぐれた、安価実用的な２本ピンバッジを提供する。【解決手段】両ピンの外郭に凹凸係止部を有する２本ピン型バッジにおいて、裏止め具が、尖縁及び又は凹凸面の係止部を有して両ピン外郭以上にひしげる、可撓性乃至伸縮性の輪状体からなる、２本ピンバッジを提案する。裏止め具を指で摘まんでひしぐと、衣服等に刺した両ピンの外郭以上に拡がって装着でき、衣類等の厚みに応じて係止高さを変えて、凹凸部で充分な強度に係止される。【選択図】　図１
2004113261.tif 000002
【特許請求の範囲】
【請求項１】
２本ピン型バッジにおいて、両ピン外郭の凹凸部に係止する裏止め具が、尖縁及び又は凹凸面の係止部を有して両ピン外郭以上にひしげる、可撓性乃至伸縮性の輪状体からなることを特徴とする、２本ピンバッジ。
【発明の詳細な説明】
【０００１】
【発明の属する技術分野】
本発明は、各種表示と機能を持って衣服等に付けるバッジに関する。
【０００２】
【従来の技術】
衣服や帽子等に着ける従来のピンバッジは、バネ挟み式の裏止め具が突き出て身体等に異物感を与え、バッジが回り正常向きを保ちにくい。ネジ留め式バッジも、衣服等に大きな孔を開ける一方で、緩んで回りやすい。安全ピン式バッジも、ぶらついて装着感が弱い。複数本のピンを用いる例として、複数個のピン受け部材付き台座（特開昭６３−５４０１５）は、構造が複雑で製作し難い。屈曲ピンと突出フランジ式（特開平０２−５５００３）は、係止力が弱く、取り付け対象も柔らかい織物向け等に限られる。本発明者による複ピンバッジ（特願２００２−１２５１２７）は、上の不都合を解決するが、なお裏止め具の製作性と取扱性に改良の余地がある。
【０００３】
【発明が解決しようとする課題】
本発明は、上の不都合を解決する、止めやすく、回らず、外れにくく、外しやすい、製作性と取扱性にすぐれた、２本ピンバッジを提供する。
【０００４】
【課題を解決するための手段】
上記目的を達成するために、両ピンの外郭に凹凸係止部を有する２本ピン型バッジにおいて、裏止め具が、尖縁及び又は凹凸面の係止部を有して両ピン外郭以上にひしげる、可撓性乃至伸縮性の輪状体からなる、２本ピンバッジを提案する。裏止め具を指で摘まんでひしぐと、衣服等に刺した両ピンの外郭以上に拡げて装着でき、衣類等の厚みに応じて係止高さを変えて、凹凸部で充分な強度に係止される。
【０００５】
本発明の２本ピンバッジは、本発明者による集合ピン構造の複ピンバッジ（特願２００２−１２５１２７）の改良に関わる。両ピンは、短く細くできるので、装着が容易であり脱落しにくい靭性を付与できる。例えば、５ｍｍ長０．５ｍｍ径の鋳鉄乃至ステンレス鋼製あるいはプラスチック製ピンでバッジ本体と一体あるいは熔接や埋め込み成形により靭性を付与する。ピン間隔が広過ぎると裏止め具のサイズ等にとって不都合なので、例えば間隔８ｍｍとして、ピンの太さ長さ及び凹凸部とともに定格化することが望ましい。
【０００６】
両ピンの外郭の凹凸部は、裏止め具の係止点であり、単ピンに比べて加工の自由度が高く、概してバッジ裏面から同等高さに、単溝乃至縞条にも、多数突起の分布するやすり様の粗面帯にも製作できる。両ピンの尖端を内寄り頂点の偏錐形とすると、裏止め具を嵌めやすいほか、硬質支持体、例えば掲示板に止め鋲として用いる場合は、両ピンが内側に押されて掲示板に堅持され、凹凸部も脱落を防止する。
【０００７】
バッジを、軟質支持体、例えば衣服等に取り付ける場合は、両ピンを衣服等に刺して、裏止め具を指で摘まんでひしぐと両ピンの外郭以上に拡げて装着できる。裏止め具として、ひしぐ力は通常働かないので、ゴム等の伸縮性プラスチックも使用可能である。尖縁及び又は凹凸面の係止部を有する可撓性乃至伸縮性の輪状体は、衣類等の厚みに応じて係止高さを変えることができる。例えば、円形乃至楕円形のステンレス鋼製あるいはゴム製の錐台嚢状、筒状、環状の裏止め具を使用できる。衣服等に当てる薄い緩衝板を挟むと、バッジのねじれ等による衣服等の局所傷みの防止等に役立つ。
【０００８】
本発明の２本ピンバッジの本体、ピン及び裏止め具の形状とサイズ及び材質は、上記の特徴を満たして目的に応じて選択できる。例えば鋳鉄やステンレス鋼、アルミニウム等の金属製、セラミック製、天然材料製、あるいはポリオレフィン類等のプラスチック製の、同一材料製乃至複合材料製とするなり、伸縮性プラスチック材料例えば弾性ゴム製とすることができる。
【０００９】
【発明の実施の形態】
発明の実施の形態について図面を参照して説明する。
図１において、鋳鋼製のバッジ本体（１）の裏側の両ピン（２）には、外郭の同等高さに凹凸部（３）を有する。やや末広がりの両ピンの凹凸部は、脱落防止の垂直面と装着しやすい斜面とで形成し、尖端を内寄り頂点の偏錐形とする。ゴム製円錐台型の裏止め具（４）は、尖縁凹凸面係止部（５）を有する。バッジ本体（１）の両ピン（２）を衣類等に刺して、裏止め具（４）をひしいで両ピンに被せて押し進め係止する。外す時もひしぐと両ピンから外れて抜け、バッジ本体を衣類等から抜き取ることができる。
【００１０】
【発明の効果】
本発明は、上述のとおり構成されているので、止めやすく、回らず、外れにくく、外しやすい、製作性と取扱性にすぐれた、安価有用な２本ピンバッジを提供する。すなわち、単ピンを集合ピン構造にすることで、負荷を分散するのでピンを短く細くでき、バッジを刺すだけで止めやすく、２本ピン固定なので回らず、ひしぐ力は通常働かないので外れにくく、つまむと簡単に外れる。さらに、薄い裏留め具は、扱いやすく、身体に異物感を与えず、衣類等の厚みに応じて係止高さを変えることができる。金属バッジから、面ファスナー付きプラスチックボタン用途まで、安価に製造でき、各種の情報発信と受信機能を付与して広範囲に利用できる。また表示部の小さい鋲止め仕様として、掲示物を破れ緩みなく固定でき、ツマミ付きで一層扱いやすい細径ピンとなる。
【図面の簡単な説明】
【図１】
本発明の２本ピンバッジの実施方法例を示した概略平面図、凹凸部付き２本ピンを有するバッジ本体、及び裏止め具の数例の断面図を示す。
【符号の説明】
１　バッジ本体
２　ピン
３　ピン外郭凹凸部
４　裏止め具
５　尖縁凹凸面係止部
【図１】
2004113261.tif 000003
(57)【要約】【課題】絶縁環境及び地電位と体内電位との高低差による生理上の障害等を改善するため、就寝中における体内電位と地電位の調和を図ることを目的とする。【解決手段】炭粉体を充填してその内部に銅線２を配設した炭マット１をマットレス６と敷布団７の間に介在させ、銅線２をアース線１０を介して地中にアースするようにした寝具装置。【選択図】　　　　図１
2004113266.tif 000002
【特許請求の範囲】
【請求項１】
炭類を充填してその内部に導電体を配設した炭マットを敷具の上面又は下面に設けるとともに、上記導電体をアース線を介して地中にアースするようにしたことを特徴とする寝具装置。
【請求項２】
炭マットの下にアルミ箔シートを敷設した請求項１記載の寝具装置。
【請求項３】
炭マットの表面に通気孔を設けた請求項２記載の寝具装置。
【発明の詳細な説明】
【０００１】
【発明が属する技術分野】
この発明は、就寝中における体内電位と地電位を調和させるようにした寝具装置に関するものである。
【０００２】
【従来の技術】
地電位は一般に言われているように地球表面を覆っている土壌の持つ地球物理学上の電荷の大小であるが、この地電位は地域差があり、地電位の差は植物の成長にも影響を及ぼし、このため土壌改良剤等の散布により土壌における地電位を均一化する試みがなされている。
【０００３】
一方、地電位と建築構造物内での電位差も問題となっており、例えば高層住宅の高層階の住民は地電位との電位差及び絶縁環境により下層階の住民より多くの生理的に悪影響を受けるという報告もあり、これを裏付ける動物実験データもある。
【０００４】
更に、建造物の敷地内における絶縁環境及び地電位の高低差によって起こる健康障害を改善するために、建築基礎における微粉炭埋設施工法が提案されている（特開平８−２０６６７７号、特開２０００−５４３７１等）。
【０００５】
【発明が解決しようとする課題】
この発明では就寝中における体内電位と地電位の調和を図り、地電位と体内電位の高低差及び絶縁環境による生理上の障害等の改善を図ることを目的とするものである。
【０００６】
【課題を解決するための手段】
この発明は、上記実情に鑑み、炭類を充填してその内部に導電体を配設した炭マットを敷具の上面又は下面に設けるとともに、上記導電体をアース線を介して地中にアースするようにした寝具装置を提案するものである。
【０００７】
【発明の実施の形態】
即ち、この発明では電気の良導体である炭類を充填してその内部に導電体を配設した炭マットを敷具の上面又は下面に設けると共に、上記導電体をアース線を介して地中にアースしてあるため、炭マットの表面が地電位に近い電位に保たれ、したがってこの上に就寝する場合は体内電位と地電位との調和が図られ、絶縁環境及び地電位と体内電位との高低差による生理的な悪影響などの健康障害を防ぐことができる。
【０００８】
この発明において内部に充填される炭類としては、粉体状のものが好ましいが、これに限定されるものでなく、また電気の良導体として使用するため、できるだけ１０００℃以上の高温で焼成したものが好ましく、活性炭等も使用することができる。
【０００９】
更に、炭マット内に配設する導電体としては、導電体であれば何れの材質のものも使用することができるが、好ましくは銅線又は銅製の網線を使用することで一体化できる。
【００１０】
また、炭マット内の導電体に接続されたアース線は、例えば室内に設けられたアースコンセントに接続され、これより地中にアースする等の方法が採用される。
【００１１】
一方、炭マットの形態としてはマット形態、マットレス形態、布団形態など敷具の上面又は下面に敷説できる種々の形態のものを選択でき、これらの炭マットは、マットレスと敷具の間に介在させ、或は敷具上に敷設して使用することもできる。
【００１２】
また、就寝中マット中の炭類からは遠赤外線が放射されるが、炭マットの下にアルミ箔シートを敷設すれば、炭類から放射される遠赤外線がアルミ箔シートで反射されて体内が加温させる効果を呈する。
【００１３】
なお、この場合炭マットとアルミ箔シートとの間に篭る湿気を除去するため、アルミ箔シートの表面に通気孔を設けることが好ましい。
【００１４】
【実施例】
以下、この発明を図示の実施例に基づいて詳細に説明すると、１は炭粉体を充填してその内部に銅線２を配設した炭マット、３は表面に通気孔４，…を設けた炭マット１の下に敷設されるアルミ箔シートである。
【００１５】
炭マット１及びアルミ箔シート３は、室内に設けられたベッド５上のマットレス６と敷布団７の間に介在させ、勿論寝具装置としてはこの他に掛け布団８、枕９が設けられている。
【００１６】
また、銅線２には銅線等の良導電体で構成されたアース線１０が接続され、アース線１０は室内に設けられたアースコンセント１１に接続され、アースコンセント１１からのアース線１０は地中にアースされる。
【００１７】
以上の構成において、良導体である炭粉体が充填された炭マット１は銅線２、アース線１０を介して地中にアースされているため、その表面は地電位に近い電位に保たれ、したがってこの上に就寝する場合は体内電位と地電位の調和が図られる。
【００１８】
したがって、この発明では就寝中の地電位と体内電位との調和を図ることができるため、絶縁環境及び地電位と体内電位との高低差による健康上の障害を防ぐことができる。
【００１９】
なお、この実施例では炭マット１の下にアルミ箔シート３が敷設して炭マット１に充填された炭粉体から放射される遠赤外線をアルミ箔シート３で反射されるようにしてあるため、就寝中の体内の保温効果を高めることもできる。
【００２０】
また、この場合炭マット１とアルミ箔シート３の間に篭る湿気は通気孔４，…を通して外部に放出されるため、就寝中に蒸し暑さを感じることはない。
【００２１】
【発明の効果】
以上要するに、この発明によれば就寝中の地電位と体内電位との調和を図ることができるため、絶縁環境及び地電位と体内電位との高低差による生理上の悪影響などの健康上の障害を防ぐことができる。
【図面の簡単な説明】
【図１】この発明の一実施例を示す側面図
【図２】同上の実施例における炭マットの平面図
【図３】同上の実施例における炭マット内に配設される銅線とアース線の接続状態を示す断面図
【図４】同上の実施例における炭マットの下に敷設されるアルミ箔シートの平面図
【符号の説明】
１は炭マット
２は銅線
３はアルミ箔シート
４，…は通気孔
５はベッド
６はマットレス
７は敷布団
８は掛け布団
９は枕
１０はアース線
１１はアースコンセント
【図１】
2004113266.tif 000003
【図２】
2004113266.tif 000004
【図３】
2004113266.tif 000005
【図４】
2004113266.tif 000006
(57)【要約】【課題】特に小型犬に着せる衣服において、散歩時やはしゃいだり、寛いだり、寝返りをした時等に、前足から袖が摩れたり外れたりするのを防止すると共に、装着が簡単にでき、ある程度の小動物のサイズにも適応でき、かつ装飾品を設けることにより、可愛さを一層引き立てることができるペット衣服用摩脱防止具を提供する。【解決手段】小型犬等のペットの前足に装着する装着部と、この装着部を支持固定する固定具とからなることを特徴とする。【選択図】　図１
2004113230.tif 000002
【特許請求の範囲】
【請求項１】
小型犬等のペットの前足に装着する装着部と、この装着部を支持固定する固定具とからなることを特徴とするペット衣服用摩脱防止具。
【請求項２】
装着部が、１本の紐の両端部に、輪を形成した形態であることを特徴とする請求項１記載のペット衣服用摩脱防止具。
【請求項３】
固定具が、紐上を移動可能とし、紐を係止して固定する係止片を設けてなることを特徴とする請求項１又は２記載のペット衣服用摩脱防止具。
【請求項４】
装飾品を設けてなることを特徴とする請求項１、２又は３記載のペット衣服用摩脱防止具。
【発明の詳細な説明】
【０００１】
【発明の属する技術分野】
本発明は、ペット、特に小型犬に着せる衣服が摩れたり脱げたりするのを防止するためのペット衣服用摩脱防止具に関するものである。
【０００２】
【従来の技術】
従来の技術として、特に犬の衣服はペットブームに乗り、色々なデザインのものが市場に出回っている。
特に足の短い小型犬（ダックスフントやウェルシュコーギー等）用のものは、図６に示すように、まず小型犬Ｋの首Ｋ１に衣服Ｆの首回りＦ１を挿入する。
つづいて、前足Ｋ２に衣服Ｆの袖Ｆ２を通して着せている。
形状的には、人間が着るＴシャツの胸から下の部分をカットした形状である。
【０００３】
しかしながら、上記のような形状のものは、犬の形状、大きさもさまざまであり、なかなかピッタリなサイズで飼い主の気に入ったデザインの服も無く、仕方なくどちらかというとデザイン優先になり少し大きめの服でも買ってしまう傾向にある。
本来ペットには、服が脱げてはいけないという意識は無く特に足の短い小型犬Ｋにおいては、走り回ったり、じゃれたり、寝返りをしたり、寛いでいる時等に、前足Ｋ２が袖Ｆ２から外れる事がしばしば有り、その対応には苦慮しており、対策品の開発が急がれている。
【０００４】
【発明が解決しようとする課題】
本発明は、上記の問題点に鑑みなされたもので、その目的は、特に小型犬に着せる衣服において、散歩時やはしゃいだり、寛いだり、寝返りをした時等に、前足から袖が摩れたり外れたりするのを防止すると共に、装着が簡単にでき、ある程度の小動物のサイズにも適応でき、かつ装飾品を設けることにより、可愛さを一層引き立てることができるペット衣服用摩脱防止具を提供するものである。
【０００５】
【課題を解決するための手段】
上記課題を解決するための手段として、小型犬等のペットの前足に装着する装着部と、この装着部を支持固定する固定具とからなること。また、装着部が、１本の紐の両端部に、輪を形成した形態であること。さらに、固定具が、紐上を移動可能とし、紐を係止して固定する係止片を設けてなること。その上、装飾品を設けてなることを特徴とする。
【０００６】
【発明の実施の形態】
ペット衣服用摩脱防止具１は、１本の紐Ｈの両端部に輪を形成した装着部２・２を設けると共に、紐Ｈの中間部に、装着部２・２を支持固定する固定具３を設けてある。
なお、上記固定具３は、上下貫通する取付孔３ａ１・３ａ１を穿設した本体３ａ内に、圧縮スプリング３ｂにて前後動する同ピッチに係止孔３ｃ１・３ｃ１を穿設してなる係止片３ｃを設けてなるもので、紐Ｈを取付孔３ａ１・３ａ１及び係止孔３ｃ１・３ｃ１に貫通させて使用することにより、圧縮スプリング３ｂが開放時、圧縮スプリング３ｂの反力により係止片３ｃが前方に押し出されると同時に係止孔３ｃ１・３ｃ１にて紐Ｈを係止し、固定する。
また、係止片３ｃを後方に押すことにより係止孔３ｃ１・３ｃ１と取付孔３ａ１・３ａ１が同位置になり、固定具３を紐Ｈ上で上下動することができ、所要位置にて装着部２・２を支持固定できるものである。
【０００７】
つぎに、上記ペット衣服用摩脱防止具１の使用例について下記に述べる。
小型犬Ｄ（例えばダックスフント等）に衣服Ｆａを着せた後、ペット衣服用摩脱防止具１の装着部２・２を右足Ｍａ及び左足Ｈａに通し、袖Ｆａ２の外側（前足の付け根当り）に装着する。
この状態で、固定具３の係止片３ｃを押し、紐Ｈの上部を持ち、固定具３を下方に移動させ、所要位置にて係止片３ｃを放すことにより、装着部２・２を支持固定することができる。
つまり、袖Ｆａ２の外側より前足の付け根当りを、確実に保持することができ、衣服が脱げるのを確実に防止できる。
【０００８】
つぎに、他の実施例を説明する。
ペット衣服用摩脱防止具２１は、紐Ｈ１の上部にアクセサリーＡによる装飾品を付設してなるもので、可愛さを一層引き立てることができる。
【０００９】
なお、上記各実施例において、紐の大きさや材質等は、特に限定することなく選定すればよい。
また、固定具においても、同様な機能を有するものであれば、他の形態も一考である。
さらに、装飾品もアクセサリー以外も考えられる。
さらにまた、小型犬のみならず、他の小動物（フェレット等）にも応用できるものである。
【００１０】
【発明の効果】
１）、特に小型犬に着せる衣服において、散歩時やはしゃいだり、寛いだり、寝返りをした時等に、前足から袖が摩れたり外れたりするのを確実に防止することができる。
２）、前足に装着部を装着し、固定具にて袖の外側より前足の付け根当りを、確実に保持することができる。
３）、装着部を輪状に形成することにより、確実に装着できる。
４）、固定具が、紐上を上下移動することにより犬の大きさに合わせて調整できる。
５）、固定具の係止片により、誰でも簡単に取り付け、取り外しができる。
【図面の簡単な説明】
【図１】本発明の第１実施例を示すペット衣服用摩脱防止具の正面図。
【図２】本発明の第１実施例を示すペット衣服用摩脱防止具の固定具の拡大平面図。
【図３】本発明の第１実施例を示すペット衣服用摩脱防止具の使用状態の正面図。
【図４】本発明の第１実施例を示すペット衣服用摩脱防止具の使用状態の側面図。
【図５】本発明の第２実施例を示すペット衣服用摩脱防止具の要部の正面図。
【図６】従来例を示す使用状態の側面図。
【符号の説明】
１−−−ペット衣服用摩脱防止具
２−−−装着部
３−−−固定具
Ｈ−−−紐
Ｄ−−−小型犬
Ｆａ−−衣服
【図１】
2004113230.tif 000003
【図２】
2004113230.tif 000004
【図３】
2004113230.tif 000005
【図４】
2004113230.tif 000006
【図５】
2004113230.tif 000007
【図６】
2004113230.tif 000008
(57)【要約】【課題】犬の足の水洗器具として、犬を強引に拘束したり、手やハンドブラシ類を使用したりせずに、短時間でかつ完全に足を犬の洗うことができるものを提供する。【解決手段】犬を立ち姿勢で収容可能な長方形の容器１１の底板１２上の足置き部１８に、複数の鋸刃状突条１７を有する鋸刃状波板１６を取り付けて、犬の各足を複数の鋸刃状突起１７により広げた状態で支持可能にするとともに、容器１１内の中央部に、足置き部１８に向かって水を噴射する複数の噴水孔２１を有する細長い直方体形のケース状の噴水ヘッド２０を配設する。【選択図】　　　　図１
2004113201.tif 000002
【特許請求の範囲】
【請求項１】
犬を立ち姿勢で収容可能な容器内の底部の各足置き部に、各足の複数部位を支持可能な複数の突条又は突起を設けるとともに、容器内の足置き部近接部に、足置き部に向かって水を噴射する噴水ヘッドを設けてなる犬の足の水洗器具。
【請求項２】
足置き部の突条又は突起が山形である、請求項１記載の犬の足の水洗器具。
【発明の詳細な説明】
【０００１】
【発明の属する技術分野】
この発明は、犬の足を水洗いするための器具に関するものである。
【０００２】
【従来の技術】
犬の足の水洗は、一般に、水栓のある洗い場において、水栓から放出する水を犬の足にかけることにより行われている（例えば、特許文献１参照）。
【０００３】
しかしこの一般的な水洗方法は、拘束を嫌う犬の足を放水部に強引に誘導する必要があるとともに手やハンドブラシ類による擦りも必要であるため、比較的厄介で、時間もかかっている。
【０００４】
【特許文献１】特開２００１−２８８７８６号公報
【０００５】
【発明が解決しようとする課題】
この発明は、一般的な水洗方法に認められる上記のような不都合に鑑み、犬を強引に拘束したり、手やハンドブラシ類を使ったりせずに、短時間でかつ完全にその足を洗うことができる水洗器具を提供することを課題としている。
【０００６】
【課題を解決するための手段】
この発明に係る犬の足の水洗器具は、犬を立ち姿勢で収容可能な容器内の底部の各足置き部に、各足の複数部位を支持可能な複数の突条又は突起を設けるとともに、容器内の足置き部近接部に、足置き部に向かって水を噴射する噴水ヘッドを設ける構成からなる。
【０００７】
この発明の水洗器具においては、犬を容器内の足置き部に、前後左右の各足が複数の突条又は突起に支持係合して広がる状態で立たせた後、噴水ヘッドを介して、犬の各足に向かって水を噴射することにより、犬のすべての足を一斉に水洗する。
【０００８】
この水洗器具の各足置き部における突条、突起は、なるべく、犬の足の支持係合面積を小さくするため及び洗水や犬の足に付着している土砂の流れを円滑にする点から、山形に形成し、これにより突条を有する足置き部は、平面上に山形の突条が複数並ぶ形、突起を有する足置き部は、平面上に山形の突起が複数個間隔をおいて分布する形にすることができる。
【０００９】
噴水ヘッドは、その型式、設置位置、設置個数は任意で、例えば複方向噴射型（全方向噴射型を含む）を容器の内部中央に一個設置したり、一方向噴射型を、容器内部の適宜の位置（中央部や周壁部など）に二個以上設置することができる。
【００１０】
【発明の実施の形態】
以下図１と図２及び図３と図４に基づいて、この発明に係る犬の足の水洗器具の実施形態を説明する。
【００１１】
図１と図２に示した水洗器具を構成する容器１１は、各隅部から下方にのびる脚１５と前後（縦）方向の両端部近傍に排水穴１４を有する長方形の底板１２の周囲から周壁（囲い）板１３を立ち上げた、前後方向に長い長方形で、底板１２の左部上と右部上のそれぞれには、底板１２の前後方向の端部近傍までのびる鋸刃形波板１６が、鋸刃状突条１７が左右（横）方向に並列する状態で取り付けてあり、この各鋸刃形波板１６の前部と後部が、犬の左又は右の前後の足の足置き部１８を形成している。
【００１２】
また容器１１の底板１２の中央部の上方部である左右の鋸刃形波板１６の前後方向の中央部（足置き部１８を形成する前部と後部の間の部分）上には、前後方向の両面部に複数の噴水孔２１を有する細長い直方体形のケース状の噴水ヘッド２０が、左右の各鋸刃形波板１６を前後の足置き部１８に区画するように左右（横方向）にのびる状態で配設してあり、この噴水ヘッド２０は、底板１２の中央部を貫通してのびるとともに適宜の位置に弁（図示せず）を配設した給水管２２に接続されている。
【００１３】
この水洗器具は、犬を容器１１内に、左右前後の足が各足置き部１８の複数の鋸刃状突条１７上に載って広がる状態で立たせた後、給水管２２の弁を開けて、噴水ヘッド２０に給水する。これにより噴水ヘッド２０の前後の両面部の噴射孔２１から、犬の左右の前足と後足に向って、水が噴射し、犬の各足を裏部も含めて水洗する。
【００１４】
図３と図４は、容器１１の底板１２上における足置き部１８に、複数の山形（ここでは円錐状）の突起１９を設けた実施形態を略示したもので、この上に犬の足を置いた場合には、突条１７の場合と同様に、水洗に適した広がり状態で支持される。
【００１５】
この発明の水洗器具は、このほか種々の形態で実施することができるもので、上記の形態に限定されるものではない。
【００１６】
【発明の効果】
以上説明したように、この発明に係る犬の足の水洗器具によれば、犬を強引に拘束することなく、かつ実質上手やハンドブラシ類を使わずに犬の足を水洗することができる。
【００１７】
またこの水洗器具によれば、犬の足を広げた状態で水洗するとともにこの水洗時には、犬が多少は足を動かして、突条又は突起との支持係合状態を変えるため、水洗は足裏も含めて短時間で完全に行うことができる。
【図面の簡単な説明】
【図１】この発明に係る犬の足の水洗器具の一実施形態の平面図である。
【図２】図１の部分拡大横断面図である。
【図３】この発明に係る水洗器具の別の実施形態の部分拡大平面図である。
【図４】図３の部分拡大横断面図である。
【符号の説明】
１１　容器
１２　底板
１３　周壁（囲い）板
１４　排水穴
１５　脚
１６　鋸刃形波板
１７　鋸刃状突条
１８　足置き部
１９　突起
２０　噴水ヘッド
２１　噴水孔
２２　給水管
【図１】
2004113201.tif 000003
【図２】
2004113201.tif 000004
【図３】
2004113201.tif 000005
【図４】
2004113201.tif 000006
(57)【要約】【課題】家庭の冷蔵庫や会社のロッカー等に簡単に貼れ、且つ跡が残らずに外せる、簡単な鏡を提供する。【解決手段】柔軟性を有する面状磁石にプラスチック製の鏡を貼付したもの。【選択図】　図１
2004113260.tif 000002
【特許請求の範囲】
【請求項１】
柔軟性を有する面状磁石にプラスチック製の鏡を貼付したことを特徴とする磁石付き鏡。
【請求項２】
該面状磁石は、軟質樹脂に磁化可能粉体を混入したものであり、プラスチック製の鏡は軟質透明樹脂にアルミ蒸着したものである請求項１記載の磁石付き鏡。
【発明の詳細な説明】
【０００１】
【産業上の利用分野】
本発明は、磁石付き鏡に関するものである。
【０００２】
【従来の技術】
鏡は、古くから用いられている道具の１つであるが、従来は金属製、ガラス製であり堅くて重いものであった。
鏡は、身だしなみを整えるときに用いるのであるが、その時両手を使いたい場合が多い。よって、手持ちタイプでは、人に持ってもらうか、何かに立てかけることが多い。しかし、１人のときには持ってもらえないし、立てかけるのも難しい場合が多い。
【０００３】
最近では、簡単に自立するものもあり比較的使いやすいものも出現してきている。
【０００４】
【発明が解決しようとする課題】
しかしながら、それらはまだガラス製であり、割れる危険性がある。
また、最近では家庭の冷蔵庫や、会社のロッカーに予定表のようなものを貼付している人が多い。このような場所は頻繁に目に付くところであるということである。
とくに会社のロッカーでは、その前で着替えたり、簡単な化粧をしたりすることが多いため、ロッカー内に鏡を置いている人が多い。
【０００５】
このような状況から、冷蔵庫やロッカーに鏡が取り付けられれば好ましい。
【０００６】
【課題を解決するための手段】
以上のような現状に鑑み、本発明者は鋭意研究の結果本発明磁石付き鏡を完成したものであり、その特徴とするところは、柔軟性を有する面状磁石にプラスチック製の鏡を貼付した点にある。
【０００７】
柔軟性を有する面状磁石とは、通常は熱可塑性樹脂にフェライト等の磁化可能粉体を混合し、硬化させたものである。樹脂としては、軟質塩化ビニル、軟質ポリオレフィン、ポリウレタン等どのようなものでもよい。勿論、市販のものでもよい。
磁石の厚みとしては、特に限定しないが、０．２ｍｍ〜１ｍｍ程度が好適である。これは、磁力による固着力とコストの問題から決めればよい。高価で強力な磁化可能粉（磁粉ともいう）を使用すればより薄いものも可能である。
【０００８】
プラスチック製の鏡とは、プラスチックの１面にアルミ等の光反射物質（箔等）を塗布、貼付又は蒸着したものである。このプラスチック自体は何層であってもよい。例えば、薄いフィルムにアルミを蒸着し、それを他の厚いフィルムやシートに貼付してもよい。勿論、厚い１層のプラスチックに施してもよい。磁石が軟質であるため、この鏡も全体として柔軟であることが望ましいが、それに限定するものではない。
【０００９】
この柔軟性を有する面状磁石と、プラスチック製の鏡を貼り合わせたものが本発明である。表面から見ると、プラスチック層、金属層、磁石層の順に積層されていることとなる。これによって、磁石が付くところならばどこでも簡単に貼りつけることができる。特に、会社の着替え室のロッカーには最適である。
【００１０】
以上が本発明の必須要件であるが、更に表面のプラスチック層に、防曇処理を施してもよい。これは、どのような方法でもよいが表面に防曇効果を有するものを塗布する方法が簡単である。例えば、親水性コーティング剤等である。
【００１１】
更に、本鏡の全体形状は、単なる矩形や円形等の単純な形状に限らず、動物の形状や人形の形等にしてもよい。
また、表面は全面鏡ではなく、周囲や全面の一定部分に模様や図形を入れてもよい。例えば、全体形状を動物にしてその動物と分かるような絵を周囲に入れてもよい。勿論、キャラクターものでもよい。
【００１２】
【発明の実施の形態】
以下図面に示す実施の形態に基づき本発明をより詳細に説明する。
図１は、本発明磁石付き鏡１の１例を示す断面図である。柔軟性を有する面状磁石２に、鏡３が貼付されている。面状磁石２は、軟質のポリエチレンにフェライトを練り込んだものである。厚みは、０．４ｍｍである。
また、鏡３は、薄い透明ポリエステルのフィルム４（厚み１００μ）にアルミニウム５を蒸着し、それを厚い透明ポリエステルフィルム６（厚み０．５ｍｍ）に貼ったものである。
この例では、全体形状も単なる矩形であり、模様等もなく、表面処理もしていない。
【００１３】
図２は、形状を鯨のデフォルメした形にし、周囲と内部に少し輪郭線７を入れたものである。勿論、その線の部分は鏡ではなくなるが一部であるため問題はない。可愛い感じになり女性に好まれる。
【００１４】
【発明の効果】
以上詳細に説明した本発明では、次のような大きな効果がある。
（１）　磁石に付くところであればどこでも簡単に貼れる。ロッカー、冷蔵庫、スチール家具、スチールドア、車、種々の機械等である。
（２）　従来の手持ち式のものと比べて両手が使えて便利である。
（３）　壁掛け式等と異なり、着脱が容易であとがまったく残らない。
（４）　形状や模様を工夫すると、非常に可愛いものができる。
（５）　表面に防曇処理を施すと、洗面所や風呂でも使用できる。
【図面の簡単な説明】
【図１】本発明の磁石付き鏡の１例を示す断面図である。
【図２】本発明の磁石付き鏡の他の例を示す平面図である。
【符号の説明】
１　本発明磁石付き鏡
２　磁石
３　鏡
４　透明フィルム
５　アルミニウム
６　透明フィルム
【図１】
2004113260.tif 000003
【図２】
2004113260.tif 000004
(57)【要約】【課題】犬猫の犬歯によりできる傷を無くし、犬猫の病気が人に移らないようにする。【解決の手段】円筒形の上面先端部に半球を取り付け、犬歯カバーＡの円筒形の底面に犬歯の形をした縦穴をあけて犬猫等の犬歯を入れる鞘Ｂを作り、円筒形の直径が７ｍｍから３０ｍｍ、円筒形の高さは１０ｍｍから５０ｍｍ、弾力がある柔らかい高分子化合物でできている、以上のことを特徴とする犬歯カバー。【選択図】　　図１
2004113231.tif 000002
【特許請求の範囲】
【請求項１】
犬猫等の犬歯にカバーする犬歯カバーで、犬歯カバーＡの形と大きさは、円筒形の上面先端部に半球を取り付け、犬歯カバーＡの円筒形の底面に縦穴をあけて犬猫等の犬歯を入れる鞘Ｂを作り、犬猫等の犬歯を犬歯カバーＡの鞘Ｂに入れ、円筒形の直径が７ｍｍから３０ｍｍ、円筒形と半球を加えた高さは１０ｍｍから５０ｍｍ、弾力がある柔らかいゴム、弾力がある柔らかい合成ゴム、弾力がある柔らかい合成樹脂、等の弾力がある柔らかい高分子化合物でできていて、円筒形の犬歯カバーＡに紐を通す穴Ｃをあけ、犬歯カバーＡの紐を通す穴Ｃに紐を通して、その紐を犬歯カバーＡを装着する犬猫の犬歯以外の歯に結んで固定する、以上のことを特徴とする犬歯カバー。
【請求項２】
犬猫等の犬歯にカバーする犬歯カバーで、犬歯カバーＡの形と大きさは、円筒形の上面先端部に半球を取り付け、犬歯カバーＡの円筒形の底面に縦穴をあけて犬猫等の犬歯を入れる鞘Ｂを作り、犬猫等の犬歯を犬歯カバーＡの鞘Ｂに入れ、円筒形の直径が７ｍｍから３０ｍｍ、円筒形と半球を加えた高さは１０ｍｍから５０ｍｍ、弾力がある柔らかいゴム、弾力がある柔らかい合成ゴム、弾力がある柔らかい合成樹脂、等の弾力がある柔らかい高分子化合物でできていて、円筒形の犬歯カバーＡの両脇に輪Ｄを取り付け、犬歯カバーＡの両脇の輪Ｄに犬歯の両脇の歯をはめて固定する、以上のことを特徴とする犬歯カバー。
【請求項３】
犬猫等の犬歯にカバーする犬歯カバーで、犬歯カバーＡの形と大きさは、円筒形の上面先端部に半球を取り付け、犬歯カバーＡの円筒形の底面に縦穴をあけて犬猫等の犬歯を入れる鞘Ｂを作り、犬猫等の犬歯を犬歯カバーＡの鞘Ｂに入れ、円筒形の直径が７ｍｍから３０ｍｍ、円筒形と半球を加えた高さは１０ｍｍから５０ｍｍ、弾力がある柔らかいゴム、弾力がある柔らかい合成ゴム、弾力がある柔らかい合成樹脂、等の弾力がある柔らかい高分子化合物でできている、以上のことを特徴とする犬歯カバー。
【発明の詳細な説明】
【０００１】
【発明の属する技術分野】
犬猫等の犬歯にカバーする犬歯カバーの技術。
【０００２】
【従来の技術】
犬猫の犬歯を抜いて又は削って、犬猫が危害を与えられないようにする。
【０００３】
【発明が解決しようとする課題】
犬猫の犬歯によりできる傷を無くし、犬猫の病気が人に移らないようにする。
【０００４】
【課題を解決するための手段】
円筒形の上面先端部に半球を取り付け、犬歯カバーＡの円筒形の底面に犬歯の形をした縦穴をあけて犬猫等の犬歯を入れる鞘Ｂを作り、円筒形の直径が７ｍｍから３０ｍｍ、円筒形の高さは１０ｍｍから５０ｍｍ、弾力がある柔らかい高分子化合物でできている、以上のことを特徴とする犬歯カバー。
【０００５】
【発明の実施の形態】
犬猫等の犬歯にカバーする犬歯カバーで、犬歯カバーＡの形と大きさは、円筒形の上面先端部に半球を取り付け、犬歯カバーＡの円筒形の底面に縦穴をあけて犬猫等の犬歯を入れる鞘Ｂを作り、縦穴である鞘Ｂは犬歯と同じ形をしていて、犬猫等の犬歯を犬歯カバーＡの鞘Ｂに入れ、円筒形の直径が７ｍｍから３０ｍｍ、円筒形と半球を加えた高さは１０ｍｍから５０ｍｍ、弾力がある柔らかいゴム、弾力がある柔らかい合成ゴム、弾力がある柔らかい合成樹脂、等の弾力がある柔らかい高分子化合物でできていて、円筒形の犬歯カバーＡに紐を通す穴Ｃをあけ、犬歯カバーＡの紐を通す穴Ｃに紐を通して、その紐を犬歯カバーＡを装着する犬猫の犬歯以外の歯に結んで固定する、又は、円筒形の犬歯カバーＡの両脇に輪Ｄを取り付け、犬歯カバーＡの両脇の輪Ｄに犬歯の両脇の歯をはめて固定する、以上のことを特徴とする犬歯カバー。
【０００６】
【実施例】
犬歯カバーＡは弾力がある柔らかいシリコーン・ゴムでできていて、犬歯カバーＡの円筒形の上面先端部に半球を取り付け、円筒形の直径が１０ｍｍ、円筒形と半球を加えた高さは２０ｍｍ、犬歯カバーＡの円筒形の底面に円錐形の縦穴をあけて犬猫等の犬歯を入れる鞘Ｂを作り、円錐形の鞘Ｂは底面の直径が８ｍｍの高さが１７ｍｍ、犬猫等の犬歯を犬歯カバーＡの鞘Ｂに入れ、円筒形の犬歯カバーＡの両脇に外側の直径が７ｍｍで内側の直径が５ｍｍの輪Ｄを取り付け、犬歯カバーＡの両脇の輪Ｄに犬歯の両脇の歯をはめて固定する犬歯カバー。
【０００７】
【発明の効果】
犬猫の犬歯によりできる傷を無くし、犬猫の病気が人に移らないようになる。
【図面の簡単な説明】
【図１】円筒形の上面先端部に半球を取り付け、犬歯カバーＡの底面に縦穴をあけて犬猫等の犬歯を入れる鞘Ｂを作り、円筒形の犬歯カバーＡに紐を通す穴Ｃを２本あけた。
【図２】円筒形の上面先端部に半球を取り付け、犬歯カバーＡの底面に縦穴をあけて犬猫等の犬歯を入れる鞘Ｂを作り、円筒形の犬歯カバーＡの両脇に輪Ｄを取り付けた。
【図３】円筒形の上面先端部に半球を取り付け、犬歯カバーＡの底面に縦穴をあけて犬猫等の犬歯を入れる鞘Ｂを作った犬歯カバー。
【符号の説明】
Ａ　犬歯カバー
Ｂ　犬猫等の犬歯を入れる鞘
Ｃ　紐を通す穴
Ｄ　犬歯カバーの両脇の輪
【図１】
2004113231.tif 000003
【図２】
2004113231.tif 000004
【図３】
2004113231.tif 000005
(57)【要約】【課題】内容物がかたまりにくい調味料容器を提供する。【解決手段】本体（１）に上蓋（４）及び底板（７）を設け、本体（１）の内部に押込板（５）を設けたことを特徴とする。【選択図】　　　　図１
2004113754.tif 000002
【特許請求の範囲】
【請求項１】
本体（１）の上部に上蓋（４）を、下部に底板（７）を設け、本体（１）の内部に押込板（５）を設けた、調味料容器。
【発明の詳細な説明】
【０００１】
【発明の属する技術分野】
この発明は、調味料等が湿気の影響を受けて固まらないようにした調味料容器に関するものである。
【０００２】
【従来の技術】
従来より調味料容器は、形状や大きさ又、密閉やデザイン等に技術が注がれ、容器内の調味料等が固まる一番おおきな原因であった、容器内の空気を抜き取る技術がなかった。
【０００３】
【発明が解決しようとする課題】
これは次のような欠点があった。
イ、調味料等を使用していくと、だんだん空気の部分が多くなり、それに比例して、調味料等が湿気を吸い、固まっていた。
ロ、特に塩は、固まるのが早く、一度固まると使用しずらかった。
ハ、調味料等は、固まると言う問題だけでなく、その劣化を早めてしまっていた。
本発明は、以上の欠点を解決するためになされたものである。
【０００４】
【課題を解決するための手段】
本体（１）の上部に上蓋（４）を設け、その上蓋（４）に振出口（２）、及び止栓（３）を設ける。本体（１）の下部には、底板（７）を設ける。
本体（１）の内部には、押込板（５）を設ける。
本発明は、以上の構成よりなる調味料容器である。
【０００５】
【発明の実施の形態】
以下、本発明の実施の形態を説明する。
（イ）本体（１）の内部に、上下に可動な押込板（５）を設ける。
（ロ）その本体（１）の上部には、上蓋（４）を設け、その上蓋（４）には振出口（２）と止栓（３）を設ける。
（ハ）本体（１）の下部には、底板（７）を設ける。
本発明は、以上の構成よりなっている。
本発明を使用するときは、調味料（６）が減ってきた時、底板（７）を開けて押込板（５）を指先又は箸等で押し込む事により、本体（１）と調味料（６）間の空気を押し出す事が出来る。
又、調味料（６）を入れるときは、上蓋（４）を外して押込板（５）を指先又は箸等で下方に押して行う。
【０００６】
【発明の効果】
本発明を使用することによって、調味料容器の内容物の変質を解決する。
又、本体（１）の形状や大きさを変えることで、食品や液体の保存にも応用できる。
【図面の簡単な説明】
【図１】本発明の斜視図（一部透視）
【図２】本発明の使用状態を示すＡ−Ａ断面図
【符号の説明】
１　本体
２　振出口
３　止栓
４　上蓋
５　押込板
６　調味料
７　底板
８　空室
【図１】
2004113754.tif 000003
【図２】
2004113754.tif 000004
(57)【要約】【目的】従来の歯ブラシは植毛部と把持部が、歯ブラシを正面から見た場合直線的に成形されている為、上下に関わらず歯の内側を磨く時には歯ブラシの植毛部を歯の内面に斜め又は縦に当接して歯を磨かざるを得なかった。このためブラシ毛の先端が湾曲した歯並びの隅々まで接触しないため歯を綺麗に磨くことができなかった。本発明はこの欠点を解消する目的でなされたものである。【構成】植毛部１から把持部２へ至る植毛部１の基部を、把持部２の正面を基準として右方向または左方向に僅かに折り曲げ３た構造の歯ブラシを提供する。【選択図】図１
2004113751.tif 000002
【特許請求の範囲】
【請求項１】
植毛部１から把持部２へ至る植毛部１の基部を、把持部２の正面を基準として右方向または左方向に僅かに折り曲げ３た構造の歯ブラシ。
【発明の詳細な説明】
【０００１】
【産業上の利用分野】
この発明は、蹄形に湾曲した歯並びの隅々まで綺麗に磨ける歯ブラシに関するものである。
【０００２】
【従来の技術】
従来の歯ブラシは植毛部と把持部が、歯ブラシを正面から見た場合直線的に成形されている為、上下に関わらず歯の内側を磨く時には歯ブラシの植毛部を歯の内面に斜め又は縦に当接して歯を磨かざるを得なかった。
【０００３】
【発明が解決しようとする課題】
このように従来の歯ブラシでは植毛部と把持部が直線的であるため、歯の内側を磨くとき植毛部全体を湾曲した歯並びの隅々まで当接できず内側の歯の隅々まで綺麗に磨くことができなかった。従って本発明では植毛部から把持部へ至る植毛部の基部を、把持部の正面を基準として右方向または左方向に僅かに折り曲げた構造の歯ブラシを提供することを目的としている。
【０００４】
【課題を解決するための手段】
この手段は、植毛部から把持部へ至る植毛部の基部を、把持部の正面を基準として右方向または左方向に僅かに折り曲げた構造の歯ブラシを提供する。
【０００５】
【発明の実施の形態】
本発明の実施例を図面に基づき記述する。
植毛部１から把持部２へ至る植毛部１の基部を、把持部２の正面を基準として右方向または左方向に僅かに折り曲げ３た構造の歯ブラシである。
【０００６】
図２に示すように、歯並びは蹄形に湾曲しており従来の歯ブラシでは植毛部１と把持部２が直線的であるため、歯の内側４を磨くとき植毛部１は歯の内側に斜め又は縦に当接せざるを得なく、植毛部１全体を湾曲した歯並びの隅々まで当接できず内側の歯の隅々まで綺麗に磨くことができなかった。従って本発明では図１に示すように植毛部１から把持部２へ至る植毛部１の基部を、把持部の正面を基準として右方向または左方向に僅かに折り曲げ３た構造の歯ブラシを提供する。
【０００７】
従って本発明は図２に示すように、蹄形に湾曲した歯の内側４に対して歯ブラシの把持部２は斜め角度になったとしても、植毛部１は歯の内側４に対してほぼ水平に当接させることができ、植毛部１全体を湾曲した歯並びの隅々まで綺麗に磨くものである。
【発明の効果】
以上に説明したように本発明は、植毛部１から把持部２へ至る植毛部１の基部を、把持部２の正面を基準として右方向または左方向に僅かに折り曲げ３た構造の歯ブラシであり、歯ブラシの把持部２を斜め角度で挿入したとしても、蹄形に湾曲した歯並びに沿うように植毛部１のほぼ全体を歯並びの内側に当接させることができ、歯ブラシの毛先が歯や歯茎の隅々まで接触し食物滓や歯垢を除去できるという効果がある。又、製造工程に於いても特に新規の設備を必要とせず製造原価の高騰も発生しない。
【図面の簡単な説明】
【図　１】本発明の正面図。
【図　２】本発明の植毛部の角度を示す説明図。
【図　３】従来の歯ブラシの植毛部の角度を示す説明図。
【符号の説明】
１．植毛部
２．把持部
３．折り曲げ部
４．歯の内側
【図１】
2004113751.tif 000003
【図２】
2004113751.tif 000004
【図３】
2004113751.tif 000005
(57)【要約】【課題】うがい薬と、それを薄める水と、薬液をためておく溶器がなければ、出来なかったうがいを外出先で出来るようにする。【解決手段】１度に使う量のうがい薬を使い捨ての出来る溶器に封入し、携帯し、必要時、開封、使用する。【選択図】　図１
2004113759.tif 000002
【特許請求の範囲】
【請求項１】
紙パック等の使い捨て容器に入れられた、うがい薬。
【発明の詳細な説明】
【０００１】
【発明の属する技術分野】
本発明は使い捨てを目的とした容器に、一度に使用する量のうがい薬を封入した物であり。携帯する事を目的としたものである。
【０００２】
【従来の技術】
従来うがい薬を使ったうがいは、薬液と薬液を薄める水と、うがい薬をためておくコップ等が必要であり、道具と給水設備と薬液がないと行えなかった。
【０００３】
【発明実施の形態】
本発明は外出先等でうがいをする事を可能にし、かつ携帯をする事の出来るようにしたうがい薬で、一度に使用する量のうがい薬を紙パック等の使い捨て容器に封入した物である。
【０００４】
【発明の効果】
このようにすれば、外出先でのうがいが可能となり、インフルエンザ流行時の人ごみの中等、感染しやすい状況の後、すぐにうがいをし、初期感染時での予防を行なう事が出来、呼気感染症の予防につながる。
【図面の簡単な説明】
【図１】うがい薬を封入した１例の斜視図である。
【図２】うがい薬を封入した２例目の斜視図である。
【図３】図１の使用時の斜視図である。
【符号の説明】
１．溶器
２．薬液
３．封
【図１】
2004113759.tif 000003
【図２】
2004113759.tif 000004
【図３】
2004113759.tif 000005